(57)【特許請求の範囲】
【請求項１】
バッテリを備えた電子機器であって、
外部機器からの音声信号を入力する第１の端子と、
前記第１の端子に外部機器が接続されていることを検出する検出手段と、
前記バッテリの残量を検出する残量検出手段と、
前記第１の端子から入力された前記音声信号を増幅して出力するアンプ機能と警告音用の音声信号を生成して出力する音声生成機能とを有するオーディオ処理部と、
前記オーディオ処理部により出力された音声信号に応じた音を出力するスピーカと、
前記電子機器が非稼働状態にあり、かつ前記第１の端子に外部機器が接続されていることが検出されている時に、前記オーディオ処理部に前記バッテリからの電源を供給する第１の電源供給手段と、
前記電子機器が非稼働状態にあり、かつ前記第１の端子に外部機器が接続されていることが検出されている時に、前記残量検出手段により検出された前記バッテリの残量が予め設定された設定値まで減少した場合に前記音声生成機能により警告音用の音声信号を生成させて警告を出力するように制御する制御手段とを具備したことを特徴とする電子機器。
【請求項２】
ＵＳＢ（Universal Serial Bus）端子と、
前記電子機器が非稼働状態にあり、かつ前記ＵＳＢ端子に外部機器が接続されている場合、前記ＵＳＢ端子に接続されている外部機器に対して前記バッテリからの電源を供給する第２の電源供給手段とをさらに具備し、
前記制御手段は、前記電子機器が非稼働状態にあり、かつ前記第１の端子または前記ＵＳＢ端子のいずれかに外部機器が接続されている時に、前記残量検出手段により検出された前記バッテリの残量が予め設定された設定値まで減少した場合に前記警告音用の音声信号または警告表示によって前記警告を出力することを特徴とする請求項１記載の電子機器。
【請求項３】
前記制御手段は、外部からの電源供給の有無を判別し、外部からの電源供給が無い場合に前記警告を出力することを特徴とする請求項１記載の電子機器。
【請求項４】
前記制御手段は、前記警告を出力させている間に前記外部機器が切断されたことが検出された場合に、前記警告の出力を停止させることを特徴とする請求項１記載の電子機器。
【請求項５】
前記電子機器が稼働状態にある時に、前記設定値をユーザからの指定に応じて設定する設定手段とをさらに具備したことを特徴とする請求項１記載の電子機器。
【請求項６】
前記電子機器が稼働状態にある時に、
前記オーディオ処理部への電源供給の有効あるいは無効、前記ＵＳＢ端子を介した前記外部機器への電源供給の有効あるいは無効、及び前記設定値を、ユーザからの指定に応じて設定する設定手段とをさらに具備し、
前記制御手段は、前記設定手段による設定内容に応じて前記第１及び第２の電源供給手段の制御と前記警告の出力を制御することを特徴とする請求項２記載の電子機器。
【発明の詳細な説明】
【技術分野】
【０００１】
本発明の実施形態は、バッテリ駆動が可能な電子機器に関する。
【背景技術】
【０００２】
従来、バッテリ駆動が可能な電子機器は、バッテリ（二次電池）の電池電圧を検出し、その電池電圧に応じてバッテリの残量を表示することができる。バッテリ残量は、例えば電池電圧の大小に対応付けて複数の段階で表示することができる。
【０００３】
また、従来では、バッテリの現在の容量をリアルタイムに検出して、電子機器が備えている複数の機能毎に、その時点でのバッテリ残量で使用可能な時間を算出して、表示装置において文字を用いて表示する電子機器も知られている。
【先行技術文献】
【特許文献】
【０００４】
【特許文献１】特開２００２−３１５２０３号公報
【発明の概要】
【発明が解決しようとする課題】
【０００５】
このように従来では、電子機器の動作中にリアルタイムでバッテリの残量を検出して、バッテリ残量に応じた使用可能時間を算出して表示している。すなわち従来技術では、電子機器が稼働状態（電源オン時）にバッテリ残量を表示するための処理（使用可能時間の算出等）を実行するものであり、非稼働状態におけるバッテリの残量をユーザが知ることができなかった。電子機器がバッテリ駆動できなくなることによりバッテリ残量が０となったことを知ることができるが、この時点でバッテリ残量を知っても何ら意味がない。すなわち、電子機器が非稼働状態にある時において、ユーザが必要と考えているバッテリ残量があることを的確に知ることができることが要望されていた。
【０００６】
発明の目的は、非稼働状態においても的確にバッテリ残量をユーザに通知することができる電子機器を提供することにある。
【課題を解決するための手段】
【０００７】
実施形態の電子機器は、外部機器からの音声信号を入力する第１の端子と、前記第１の端子に外部機器が接続されていることを検出する検出手段と、前記バッテリの残量を検出する残量検出手段と、前記第１の端子から入力された前記音声信号を増幅して出力するアンプ機能と警告音用の音声信号を生成して出力する音声生成機能とを有するオーディオ処理部と、前記オーディオ処理部により出力された音声信号に応じた音を出力するスピーカと、前記電子機器が非稼働状態にあり、かつ前記第１の端子に外部機器が接続されていることが検出されている時に、前記オーディオ処理部に前記バッテリからの電源を供給する第１の電源供給手段と、前記電子機器が非稼働状態にあり、かつ前記第１の端子に外部機器が接続されていることが検出されている時に、前記残量検出手段により検出された前記バッテリの残量が予め設定された設定値まで減少した場合に前記音声生成機能により警告音用の音声信号を生成させて警告を出力するように制御する制御手段とを具備したことを特徴とする。
【図面の簡単な説明】
【０００８】
【図１】本実施形態における電子機器の構成を示す外観図。
【図２】本実施形態におけるパーソナルコンピュータのシステム構成を示すブロック図。
【図３】本実施形態におけるオーディオコーデックの周辺構成を示すブロック図。
【図４】本実施形態におけるスリープユーティリティ処理について示すフローチャート。
【図５】本実施形態におけるスリープユーティリティ画面の一例を示す図。
【図６】本実施形態における警告出力設定ボタンが指示された場合に表示される警告出力設定画面の一例を示す図。
【図７】本実施形態におけるＥＣ／ＫＢＣによるスリープ制御処理について示すフローチャート。
【発明を実施するための形態】
【０００９】
以下、図面を参照して、実施形態を説明する。  
図１は、本実施形態における電子機器の構成を示す外観図である。この電子機器は、例えば、ノートブック型の携帯型パーソナルコンピュータ１０として実現されている。本実施形態におけるパーソナルコンピュータ１０は、非稼働状態の時に、ラインアウト付き外部機器（例えば、携帯型のオーディオプレーヤ２５）から出力されたアナログ音声信号を入力して、筐体に実装されたスピーカ１８から出力させる音声出力機能（以下、スリープアンドミュージック機能と称する）、及び非稼働状態の時に、ＵＳＢ（Universal Serial Bus）を介して外部のＵＳＢ機器に電源供給をする電源供給機能（以下、スリープアンドチャージ機能と称する）を有している。
【００１０】
オーディオプレーヤ２５からの出力を直接スピーカに接続した場合、オーディオプレーヤ２５の出力がスピーカの能力に比べて小さいため、十分な音量の音声を出力することができない。本実施形態におけるスリープアンドミュージック機能は、パーソナルコンピュータ１０が非稼働状態にある場合でも、オーディオプレーヤ２５をパーソナルコンピュータ１０に接続するために、プラグ２７がラインイン端子１９に接続された場合に、内蔵された音声信号増幅のためのアナログ回路（アンプ）に電源を供給して、オーディオプレーヤ２５からの音声信号を増幅してスピーカ１８から出力させることができる。
【００１１】
なお、パーソナルコンピュータ１０の非稼働状態とは、例えば電源オフ状態（シャットダウン）（システムステートＳ５）の他、スタンバイ／スリープ／サスペンド（システムステートＳ３）、ハイバネーション（休止状態）（システムステートＳ４）と称される状態を含むものとする。すなわち、非稼働状態は、プロセッサ（ＣＰＵ３０）が動作していない状態である。なお、電源オン状態は、システムステートＳ０である。
【００１２】
また、本実施形態におけるスリープアンドチャージ機能は、パーソナルコンピュータ１０が非稼働状態にある場合でも、ＵＳＢ機器がＵＳＢ端子２０（ＵＳＢポート）に接続された場合に、ＵＳＢ端子２０を介してＵＳＢ機器に電源供給することができる。従って、パーソナルコンピュータ１０を起動させなくても、バッテリ駆動が可能なＵＳＢ機器（例えば、オーディオプレーヤ、携帯電話機、デジタルカメラ、携帯型ナビゲーション装置等）をパーソナルコンピュータ１０に接続して充電することができる。
【００１３】
図１は、パーソナルコンピュータ１０のディスプレイユニットを開いた状態における斜視図である。パーソナルコンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を、ヒンジ機構２１により回動自在に取り付けられている。コンピュータ本体１１は、バッテリが取り外し自在に挿入可能な薄い箱形の筐体を有している。
【００１５】
コンピュータ本体１１の上面には、キーボード１３、パワーオン／オフするためのパワーボタンスイッチ１４、汎用ハードウェアボタン１５、タッチパッド１６、スピーカ１８などが配置されている。
【００１６】
コンピュータ本体１１の側面には、オーディオプレーヤ２５から出力されたアナログ音声信号を入力するためのラインイン端子１９（ジャック）、各種のＵＳＢ機器を接続するための複数のＵＳＢ端子２０が設けられている。ラインイン端子１９には、オーディオプレーヤ２５のラインアウト端子と接続されたケーブル２６を、プラグ２７により接続することができる。
【００１７】
次に、図２を参照して、本実施形態におけるパーソナルコンピュータ１０のシステム構成について説明する。
【００１８】
パーソナルコンピュータ１０は、図２に示すように、ＣＰＵ３０、ＭＣＨ３１（ノースブリッジ）、メインメモリ３２、表示コントローラ３５、ＩＣＨ４０（サウスブリッジ）、ハードディスクドライブ（ＨＤＤ）４１、ＢＩＯＳ−ＲＯＭ４２、エンベデッドコントローラ／キーボードコントローラＩＣ（ＥＣ／ＫＢＣ）４５、電源回路４６等を備えている。
【００１９】
ＣＰＵ３０は、パーソナルコンピュータ１０の動作を制御するために設けられたプロセッサであり、ＨＤＤ４１からメインメモリ３２にロードされる、オペレーティングシステム（ＯＳ）、各種ハードウェアを制御するドライバ、および各種アプリケーションプログラム等を実行する。アプリケーションプログラムには、パーソナルコンピュータ１０が非稼働状態の時に動作可能な機能（スリープアンドミュージック機能、スリープアンドチャージ機能）の設定をするためのスリープユーティリティプログラムが含まれる。さらに、ＣＰＵ３０は、ＢＩＯＳ−ＲＯＭ４２に格納されたシステムＢＩＯＳ（Basic Input Output System）も実行する。システムＢＩＯＳはハードウェア制御のためのプログラムである。
【００２０】
ＭＣＨ３１は、ＣＰＵ３０のローカルバスとＩＣＨ４０との間を接続するブリッジデバイスである。ＭＣＨ３１には、メインメモリ３２をアクセス制御するメモリコントローラも内蔵されている。
【００２１】
表示コントローラ３５は、パーソナルコンピュータ１０のディスプレイモニタとして使用されるＬＣＤ１７を制御する。表示コントローラ３５は、ＭＣＨ３１を介してＣＰＵ３０から送信される描画要求に基づいてビデオメモリ（ＶＲＡＭ）にフレーム群を描画するための表示処理（グラフィクス演算処理）を実行する。
【００２２】
ＩＣＨ４０は、ＨＤＤ４１および光ディスクドライブ（図示せず）を制御するためのＩＤＥ（Integrated Drive Electronics）コントローラやSerial ATAコントローラ、ＵＳＢコントローラ等を内蔵している。
【００２３】
エンベデッドコントローラ／キーボードコントローラＩＣ（ＥＣ／ＫＢＣ）４５は、電力管理のためのエンベデッドコントローラと、キーボード（ＫＢ）１３、タッチパッド１６、及び汎用ハードウェアボタン１８を制御するためのキーボードコントローラとが集積された１チップマイクロコンピュータである。
【００２４】
ＥＣ／ＫＢＣ４５は、ユーザによるパワーボタンスイッチ１４の操作に応じて電源回路４６を制御し、パーソナルコンピュータ１０をパワーオン／パワーオフする機能を有している。パーソナルコンピュータ１０のパワーオン／パワーオフの制御は、ＥＣ／ＫＢＣ４５と電源回路４６との共同動作によって実行される。また、ＥＣ／ＫＢＣ４５は、パーソナルコンピュータ１０が非稼働状態（電源オフ状態）の場合を含む何れのシステムステートにある場合でも電源回路４６から電源供給されるモジュールであり、パーソナルコンピュータ１０が非稼働時に使用される機能（スリープアンドミュージック機能、スリープアンドチャージ機能）を制御するためのコントローラとして使用される。
【００２５】
ＥＣ／ＫＢＣ４５は、スリープユーティリティ処理によって設定された設定データ４５ａに基づいて、スリープアンドミュージック機能とスリープアンドチャージ機能を制御する。設定データ４５ａに含まれる設定内容については後述する。ＥＣ／ＫＢＣ４５は、スリープアンドミュージック機能を動作させる場合には、電源切り替えスイッチ５３を制御して、オーディオコーデック５０への電源供給をオンし、スリープアンドチャージ機能を動作させる場合には、電源切り替えスイッチ５４を介して、ＵＳＢ端子２０への電源供給をオンする。また、ＥＣ／ＫＢＣ４５は、ＡＣアダプタ４８が接続されていない場合、スリープアンドミュージック機能あるいはスリープアンドチャージ機能を動作させている間に、バッテリ４７の残量が予め設定された設定値まで減少した場合に警報を出力するための制御を行う。
【００２６】
なお、ＥＣ／ＫＢＣ４５の他に電源オフ状態において動作可能なコントローラが実装されていれば、このコントローラによってスリープアンドミュージック機能を制御するようにしても良い。
【００２７】
電源回路４６は、コンピュータ本体１１に挿入されたバッテリ４７、またはＡＣアダプタ４８を介して接続された外部電源から電源供給を受けて、各コンポーネントへの動作電源を生成して供給する。電源回路４６には、電源マイコンが設けられている。電源マイコンは、各コンポーネントとバッテリに対する電源供給（充放電）や、バッテリ４７の充電状態（バッテリ残量）、ＡＣアダプタ４８の接続の有無（外部からの電源供給の有無）を監視する。
【００２８】
電源回路４６は、ＥＣ／ＫＢＣ４５による、パーソナルコンピュータ１０のシステムステートに応じた制御によって、各モジュールへの電源供給のオン／オフを制御する。本実施形態における電源回路４６は、パーソナルコンピュータ１０が非稼働時（システムステートＳ３，Ｓ４，Ｓ５）において、スリープアンドミュージック機能またはスリープアンドチャージ機能を動作させるために、それぞれの機能に関係する各モジュールに電源供給するための電源系が設けられている。
【００２９】
オーディオコーデック５０は、ＩＣＨ４０を通じて入力されるデジタルオーディオデータをアナログ音声信号に変換すると共に、ＯＳやデバイスドライバ、音声再生プログラム等の制御による音量あるいは音質（音響効果）等の調整をしてスピーカ１８に出力する。また、オーディオコーデック５０は、パーソナルコンピュータ１０が稼働状態にある場合には、同様にして、ラインイン端子１９を介して入力されたオーディオプレーヤ２５からのアナログ音声信号の音量調整等の信号処理をしてスピーカ１８に出力する。また、オーディオコーデック５０は、パーソナルコンピュータ１０が非稼働状態にあり、スリープアンドミュージック機能が動作される場合には、ラインイン端子１９を介して入力されたアナログ音声信号をアンプ機能により増幅してスピーカ１８に出力する。なお、オーディオコーデック５０は、音声出力を停止させるミュートモジュールが設けられている。ミュートモジュールは、ＥＣ／ＫＢＣ４５からのミュート信号により制御される。また、オーディオコーデック５０は、ＥＣ／ＫＢＣ４５からの通知（ビープコード）により警告音として利用可能な例えばビープ音をスピーカ１８から出力させることができる。なお、オーディオコーデック５０の詳細な構成については、図３を用いて説明する。
【００３０】
スイッチ５２（あるいはセンサ）は、ラインイン端子１９に内蔵されている。スイッチ５２は、ラインイン端子１９にケーブル２６を接続するためのプラグ２７（接続部材）の挿入によってオン／オフが切り替えられ、オン／オフの状態に応じた検出信号（「ＬＩＮＳＥ」信号）をＥＣ／ＫＢＣ４５に出力する。
【００３１】
電源切り替えスイッチ５３は、ＥＣ／ＫＢＣ４５からの電源制御信号（「ＡＭＰＯＮ」信号）に応じて、電源回路４６からオーディオコーデック５０への電源供給のオン／オフを切り替える。
【００３２】
電源切り替えスイッチ５４は、ＥＣ／ＫＢＣ４５からの電源制御信号（「ＵＳＢＯＮ」信号）に応じて、電源回路４６からＵＳＢ端子２０への電源供給のオン／オフを切り替える。
【００３３】
図３は、本実施形態におけるオーディオコーデック５０の周辺構成を示すブロック図である。  
図３に示すように、オーディオコーデック５０は、ラインイン端子１９と接続され、ラインイン端子１９にプラグ２７が挿入(接続）されることにより、オーディオプレーヤ２５から出力された音声信号を入力する。オーディオコーデック５０には、ポートＡ，Ｂが設けられている。ポートＡは、オーディオコーデック５０を構成するアナログ回路に音声信号を入力ためのポートである。ポートＢは、オーディオコーデック５０を構成するデジタル回路に音声信号を入力ためのポートである。なお、図３では、ステレオ音声信号（ＲＬ）を入力するための２本の信号線を示している。なお、ラインイン端子１９と接続された信号線とは別の信号線を介して、音声信号を入力することもできる。
【００３４】
ラインイン端子１９から出力される「ＬＩＮＳＥ」信号は、ＥＣ／ＫＢＣ４５とオーディオコーデック５０に入力される。電源切り替えスイッチ５３は、オーディオコーデック５０のアナログ回路への電源供給をオン／オフするためのスイッチ５３Ａと、オーディオコーデック５０の共通回路部５０Ｃへの電源供給をオン／オフするためのスイッチ５３Ｂを含んでいる。ＥＣ／ＫＢＣ４５は、「ＡＭＰＯＮ」信号により、スイッチ５３Ａ，５３Ｂの切り替えを制御する。
【００３５】
次に、本実施形態におけるパーソナルコンピュータ１０の動作について説明する。  
まず、本実施形態におけるスリープユーティリティ処理について、図４に示すフローチャートを参照しながら説明する。  
ＣＰＵ３０は、稼働状態にある時（システムステートＳ０）に、ユーザの指示によりスリープユーティリティ処理の実行が要求されると、スリープユーティリティプログラムを実行する。スリープユーティリティ処理は、キーボード１３やタッチパッド１６を用いてユーザによって入力された指示に応じて、パーソナルコンピュータ１０が非稼働状態において動作されるスリープアンドミュージック機能とスリープアンドチャージ機能に関する各種設定をするための処理である。
【００３６】
まず、ＣＰＵ３０は、スリープユーティリティプログラムにより、スリープユーティリティ画面をディスプレイ１７において表示させる（ステップＡ１）。  
図５は、本実施形態におけるスリープユーティリティ画面の一例を示している。スリープユーティリティ画面には、スリープアンドミュージック機能の有効（Enable）／無効（Disable）、スリープアンドチャージ機能の有効／無効、バッテリ駆動時の機能の有効／無効をそれぞれ設定するための設定領域１００，１０１，１０２が設けられている。設定領域１００，１０１，１０２に設けられたチェックボックスにチェックを入れることにより、有効に設定することができる。また、設定領域１０２においては、現在のバッテリ残量が表示されると共に、バッテリ駆動時に動作させるスリープアンドミュージック機能とスリープアンドチャージ機能を無効にする下限値をユーザの指示により設定することができる。例えば、スライダ１０３の位置をユーザ操作によって移動させることにより、フル充電の容量に対して０〜１００％の範囲で下限値を設定することができる。なお、ユーザにより設定された下限値に対して予め決められた容量分（例えば、＋３％）を加算した容量を、バッテリ残量が下限値に近づいたことをユーザに通知するための警告の出力を判定する設定値とする。
【００３７】
また、スリープユーティリティ画面には、バッテリ４７の残量が下限値をもとに決められた設定値に到達した場合の警告出力を設定するための警告出力設定ボタン１０４が設けられている。ＣＰＵ３０は、警告出力設定ボタン１０４が選択された場合、警告出力設定画面を表示させる。
【００３８】
図６は、本実施形態における警告出力設定ボタン１０４が指示された場合に表示される警告出力設定画面の一例を示す図である。  
図６に示す例では、警告音出力の有効／無効、警告表示出力の有効／無効を、ユーザの指示により設定することができる。なお、警告表示出力は、図２において、ＬＥＤ６０を設けた構成の場合に使用することができる（詳細については後述する）。
【００３９】
また、警告音については、警告音出力パターンを、予め設定された複数の中からユーザが選択できるようになっている。複数の警告音出力パターンとしては、例えば警告音を連続的／断続的に出力する、一定時間のみ出力する、バッテリ４７の残量が下限値に到達するまで出力する、など選択することができる。また、オーディオコーデック５０から複数の音色により警告音を出力することができる場合には、音色を指定できるようにしても良い。
【００４０】
同様にして、警告表示については、警告表示出力パターンを、予め設定された複数の中からユーザが選択できるようになっている。複数の警告表示出力パターンとしては、例えばＬＥＤ６０を点灯／点滅させる、一定時間のみ出力する、バッテリ４７の残量が下限値に到達するまで出力する、バッテリ４７の残量に合わせて段階的に色を変更して表示する、など選択することができる。
【００４１】
また、スリープユーティリティ画面には、設定の確定を指示するためのＯＫボタン１０５、設定内容をキャンセルするキャンセルボタン１０６等が設けられている。
【００４２】
ＣＰＵ３０は、例えばユーザによるキーボード１３やタッチパッド１６の操作によって、図５及び図６に示す設定内容に対して設定指示を入力する（ステップＡ２）。そして、ＯＫボタン１０５の指示により確定が指示されると（ステップＡ３、Ｙｅｓ）、ＣＰＵ３０は、設定内容を示す設定データを不揮発性メモリ、例えばＢＩＯＳ−ＲＯＭ４２に記録する（ステップＡ４）。また、パーソナルコンピュータ１０が非稼働状態に移行された後に、ＥＣ／ＫＢＣ４５によるスリープ制御処理において参照されるように、ＣＰＵ３０は、ＥＣ／ＫＢＣ４５に設定データ４５ａを記憶させる（ステップＡ５）。なお、非稼働時にＥＣ／ＫＢＣ４５が読み取ることができれば、他の不揮発性メモリに設定データを記録することもできる。
【００４３】
次に、本実施形態におけるＥＣ／ＫＢＣ４５によるスリープ制御処理について、図７に示すフローチャートを参照しながら説明する。  
ＥＣ／ＫＢＣ４５は、ユーザにより電源オフが指定されるなどして、パーソナルコンピュータ１０が非稼働状態（システムステートＳ３／Ｓ４／Ｓ５）に移行すると、スリープアンドミュージック機能とスリープアンドミュージック機能を制御するためのスリープ制御処理を開始し、ラインイン端子１９へのプラグ２７の接続（ライン接続）、及びＵＳＢ端子４９へのコネクタの接続を監視する。
【００４４】
ＥＣ／ＫＢＣ４５は、スイッチ５２からの「ＬＩＮＳＥ」信号により、ラインイン端子１９にプラグ２７が接続されたことを検出すると（ステップＢ２、Ｙｅｓ）、設定データ４５ａにスリープアンドミュージック機能が有効に設定されているかを判別する。ここで、スリープアンドミュージック機能が有効であった場合（ステップＢ３、Ｙｅｓ）、ＥＣ／ＫＢＣ４５は、「ＡＭＰＯＮ」信号により電源切り替えスイッチ５３を制御して、オーディオコーデック５０への電源供給をオンする（ステップＢ４）。
【００４５】
これにより、ユーザは、オーディオプレーヤ２５をパーソナルコンピュータ１０に接続し、音楽等を再生することにより、オーディオコーデック５０により増幅されてスピーカ１８から出力された音楽を聞くことができる。
【００４６】
なお、スリープアンドミュージック機能が無効であった場合（ステップＢ３、Ｎｏ）、ＥＣ／ＫＢＣ４５は、オーディオコーデック５０への電源供給をオンしない。
【００４７】
一方、ＥＣ／ＫＢＣ４５は、ＵＳＢ端子４９のコネクタ接続を通知するコマンドラインの信号により、ＵＳＢ端子４９にＵＳＢコネクタが接続されたことを検出すると（ステップＢ５、Ｙｅｓ）、設定データ４５ａにスリープアンドチャージ機能が有効に設定されているかを判別する。ここで、スリープアンドチャージ機能が有効であった場合（ステップＢ６、Ｙｅｓ）、ＥＣ／ＫＢＣ４５は、「ＵＳＢＰＯＮ」信号により電源切り替えスイッチ５４を制御して、ＵＳＢ端子４９への電源供給をオンする（ステップＢ７）。
【００４８】
これにより、ユーザは、パーソナルコンピュータ１０を起動させなくても、ＵＳＢ機器をＵＳＢ端子２０に接続することにより、ＵＳＢ機器のバッテリを充電させたり、パーソナルコンピュータ１０から供給される電力を使用してＵＳＢ機器を動作させたりすることができる。
【００４９】
なお、スリープアンドチャージ機能が無効であった場合（ステップＢ６、Ｎｏ）、ＥＣ／ＫＢＣ４５は、ＵＳＢ端子４９への電源供給をオンしない。
【００５０】
ＥＣ／ＫＢＣ４５は、オーディオコーデック５０あるいはＵＳＢ端子２０に対して電源供給をオンしている場合、電源回路４６（電源マイコン）からの通知により、ＡＣアダプタ４８が接続されていないと判別される場合には（ステップＢ８）、バッテリ４７の残量を監視する。なお、ＡＣアダプタ４８が接続されている場合には（ステップＢ８、Ｙｅｓ）、バッテリ４７の消費よりもＡＣアダプタ４８からの電力供給が上回る。このため、スリープアンドミュージック機能とスリープアンドチャージ機能をバッテリ４７の残量に関係なく継続して動作可能であるので、ＥＣ／ＫＢＣ４５は、バッテリ４７の残量の監視は行わない。
【００５１】
ＥＣ／ＫＢＣ４５は、電源回路４６（電源マイコン）を通じてバッテリ４７の残量レベルを読み取り（ステップＢ９）、設定データ４５ａが示す設定値と比較する（ステップＢ１０）。
【００５２】
ここで、バッテリ４７の残量レベルが設定値まで減少していなければ（ステップＢ１１、Ｎｏ）、ＥＣ／ＫＢＣ４５は、このままスリープアンドミュージック機能あるいはスリープアンドチャージ機能を動作させる。
【００５３】
一方、バッテリ４７の残量レベルが設定値にまで減少している場合（ステップＢ１１、Ｙｅｓ）、ＥＣ／ＫＢＣ４５は、オーディオコーデック５０に対して警告音を出力するように通知する（ステップＢ１２）。この時、ＥＣ／ＫＢＣ４５は、設定データ４５ａに設定された警告音出力パターンに応じた警告音を出力するように、オーディオコーデック５０を制御するものとする。
【００５４】
オーディオコーデック５０は、ＥＣ／ＫＢＣ４５からの通知（ビープコード）に応じた音声信号をスピーカ１８に出力する。スピーカ１８は、オーディオコーデック５０からの警告音を表す音声信号に応じて音声を出力する。
【００５５】
なお、スリープアンドチャージ機能のみが動作されている場合には、ＥＣ／ＫＢＣ４５は、電源切り替えスイッチ５３を制御して、オーディオコーデック５０への電源供給をオンし、オーディオコーデック５０から警告音が出力されるようにする。
【００５６】
このようにして、バッテリ駆動時に、スリープアンドミュージック機能あるいはスリープアンドチャージ機能を動作させることで、バッテリ４７の残量がユーザにより指定された下限値に近づいた場合（例えば、下限値＋３％）には、スピーカ１８から警告音が出力される。従って、ユーザは、パーソナルコンピュータ１０が非稼働状態であるために、ディスプレイ１７による表示や通常の音声出力ができない状況においても、バッテリ４７の残量が予めスリープユーティリティ処理において指定した下限値に近づいたことを的確に把握することができる。
【００５７】
ＥＣ／ＫＢＣ４５は、警告音を出力させた後、ＡＣアダプタ４８が接続されたことを検知すると（ステップＢ１３、Ｙｅｓ）、オーディオコーデック５０を制御して警告音の出力を停止させる（ステップＢ１５）。すなわち、ユーザが警告音に気がついて、ＡＣアダプタ４８を接続した場合には、引き続きスリープアンドミュージック機能あるいはスリープアンドチャージ機能が動作可能な状態となったため警告音の出力を停止させる。
【００５８】
また、ラインイン端子１９からプラグ２７が外され、またＵＳＢ端子２０からＵＳＢ機器が外された場合、すなわちスリープアンドミュージック機能とスリープアンドチャージ機能の両方を停止させる状況となった場合には、ＥＣ／ＫＢＣ４５は、オーディオコーデック５０に対して警告音の出力を停止せる（ステップＢ１５）。
【００５９】
なお、前述した説明では、バッテリ４７の残量が下限値にまで減少した場合には、動作中の機能を停止させるものとしているが、警告音を出力し続けながら、そのままバッテリ４７の残量がなくなるまで機能を動作させても良い。
【００６０】
また、図５に示すスリープユーティリティ画面では、設定領域１０２において、１つの下限値のみを設定しているが、スリープアンドミュージック機能とスリープアンドチャージ機能を同時に動作させている場合の下限値を設定したり、スリープアンドミュージック機能とスリープアンドチャージ機能のそれぞれについて個別に下限値を設定するようにしても良い。警告音の出力を判定するための設定値は、それぞれの下限値に応じてそれぞれ設定する。また、下限値に対して予め決められた容量分についても、両方の機能が動作している場合（例えば、＋６％）と、一方の機能が動作している場合（例えば、スリープアンドミュージック機能については＋５％、スリープアンドチャージ機能については３％など）で異なっていても良い。
【００６１】
また、パーソナルコンピュータ１０の非稼働状態となるシステムステート（Ｓ３／Ｓ４／Ｓ５）別に設定値を指定できるようにしても良い。例えば、システムステートＳ３の場合には、復帰（再起動）するためには所定のバッテリ残量を必要とするため、この復帰に必要なバッテリ残量に到達する前に警告音が出力されるように設定値が設定されるようにする。
【００６２】
また、前述した説明では、パーソナルコンピュータ１０が非稼働状態にある時に、スリープアンドミュージック機能あるいはスリープアンドチャージ機能を動作させることでバッテリ４７の残量が設定値まで減少した場合には、オーディオコーデック５０により警告音を出力させるものとしているが、他の形態によって警告を出力するようにしても良い。
【００６３】
例えば、ＥＣ／ＫＢＣ４５によって点灯／点滅を制御することが可能な表示装置、例えば図２に示すＬＥＤ６０を設ける。ＥＣ／ＫＢＣ４５は、スリープアンドミュージック機能あるいはスリープアンドチャージ機能の動作中に、バッテリ４７の残量が下限値に到達した場合に、ＬＥＤ６０を点灯あるいは点滅させることによって、バッテリ残量が少なくなったことをユーザに通知する。なお、下限値に近づいた場合（例えば、下限値の＋３％、＋６％などに到達した場合）にＬＥＤ６０を点灯して、下限値に到達した場合に点滅させるなど、ＬＥＤ６０の点灯あるいは点滅のパターンを変更したり、ＬＥＤ６０の表示色をオレンジから赤に変更するなど点灯色を変更するようにしても良い。これにより、ユーザに対して、バッテリの残量をより明確に通知することができる。
【００６４】
ＬＥＤ６０による警告出力の有効／無効は、図６に示す警告出力設定画面においてユーザが指定できるものとする。また、点灯あるいは点滅のパターンについても、警告出力設定画面において、予め用意された複数の警告表示出力パターンからユーザが指定できるものとする。
【００６５】
なお、ＥＣ／ＫＢＣ４５は、表示装置（ＬＥＤ６０）が設けられている構成では、表示により警告を出力するだけでなく、スリープアンドミュージック機能が動作中であれば、同時にオーディオコーデック５０により警告音を出力するようにしても良い。また、スリープアンドミュージック機能が動作中でなければ表示のみによって警告を出力するようにしても良い。
【００６６】
また、実施形態そのままに限定されるものではなく、実施段階ではその要旨を逸脱しない範囲で構成要素を変形して具体化できる。また、上記実施形態に開示されている複数の構成要素を適宜、組み合わせにより種々の実施形態を形成できる。例えば、前述した実施形態に示される全構成要素から幾つかの構成要素を削除してもよい。更に、異なる実施形態の構成要素を適宜組み合わせてもよい。
【符号の説明】
【００６７】
１０…パーソナルコンピュータ、１１…コンピュータ本体、１７…ＬＣＤ、１８…スピーカ、１９…ラインイン端子、２０…ＵＳＢ端子、３０…ＣＰＵ、３２…メインメモリ、４２…ＢＩＯＳ−ＲＯＭ、４５…ＥＣ／ＫＢＣ、４６…電源回路、５０…オーディオコーデック、５２…スイッチ、５３，５４…電源切り替えスイッチ。
【図１】
0005611650.tif 000002
【図２】
0005611650.tif 000003
【図３】
0005611650.tif 000004
【図４】
0005611650.tif 000005
【図５】
0005611650.tif 000006
【図６】
0005611650.tif 000007
【図７】
0005611650.tif 000008